(57)【特許請求の範囲】
【請求項１】
一端に形成した凹部を挟んだアーム部にバンド短手方向に沿う連結貫通穴を有する一方の長さ調整駒と、前記凹部に組み合わされる凸部を有し且つ前記凸部にバンド短手方向に沿う連結貫通穴を有する他方の長さ調整駒とを有し、前記一方及び他方の長さ調整駒の前記連結貫通穴に、半甲丸状の断面を有する金属線を二つ折りに折曲して、その一部に互いに背向して径方向に突出する突出部を形成した連結ピンを挿入することにより前記一方及び他方の長さ調整駒を着脱可能に連結してなるバンドの長さ調節構造において、
前記他方の長さ調整駒の前記凸部に設けられた前記連結貫通穴の一端に、前記一方の長さ調整駒の前記凹部の前記連結貫通穴より径大の段穴部を形成し、
前記連結ピンの突出部を、その金属線を二つ折りした折線部毎に、前記連結ピンの軸線方向に対して略垂直に立ち上がる片側突出部を互いに背向して矩形形状に形成すると共に、前記凹部の前記連結貫通穴より径大で且つ前記段穴部より径小に形成し、
前記連結ピンを前記凹部の前記連結貫通穴より挿入し、前記段穴部に前記突出部を落とし込み装着したとき、前記連結ピンの前記突出部を前記段穴部に圧接せずに配設するようにし、
前記段穴部に落とし込んだ前記連結ピンが、その矩形をなす前記突出部の４つの角部でバンド短手方向の移動を規制されるバンドの長さ調節構造。
【請求項２】
一端に形成した凹部を挟んだアーム部にバンド短手方向に沿う連結貫通穴を有する一方の長さ調整駒と、前記凹部に組み合わされる凸部を有し且つ前記凸部にバンド短手方向に沿う連結貫通穴を有する他方の長さ調整駒とを有し、前記一方及び他方の長さ調整駒の前記連結貫通穴に、半甲丸状の断面を有する金属線を二つ折りに折曲して、その一部に互いに背向して径方向に突出する突出部を形成した連結ピンを挿入することにより前記一方及び他方の長さ調整駒を着脱可能に連結してなるバンドの長さ調節構造において、
前記他方の長さ調整駒の前記凸部に設けられた前記連結貫通穴を、前記一方の長さ調整駒の前記凹部の前記連結貫通穴より径大の径大連結貫通穴で構成し、
前記連結ピンの突出部を、その金属線を二つ折りした折線部毎に、前記連結ピンの軸線方向に対して略垂直に立ち上がる片側突出部を互いに背向して矩形形状に形成すると共に、前記凹部の前記連結貫通穴より径大で且つ前記径大連結貫通穴より径小に形成し、
前記連結ピンを前記凹部の前記連結貫通穴より挿入し、前記径大連結貫通穴に前記突出部を落とし込み装着したとき、前記連結ピンの前記突出部を前記径大連結貫通穴に圧接せずに配設するようにし、
前記径大連結貫通穴に落とし込んだ前記連結ピンが、その矩形をなす前記突出部の４つの角部でバンド短手方向の移動を規制されるバンドの長さ調節構造。
【請求項３】
一端に形成した凹部を挟んだアーム部にバンド短手方向に沿う連結貫通穴を有する一方及び他方の長さ調整外駒と、前記一方及び他方の長さ調整外駒の前記凹部が成す孔状部に挿入されてバンド短手方向に沿う連結貫通穴をバンド長手方向に一対設けた長さ調整中駒とを有し、
前記一方及び他方の長さ調整外駒の前記連結貫通穴と前記長さ調整中駒の前記連結貫通穴とに、半甲丸状の断面を有する金属線を二つ折りに折曲して、その一部に互いに背向して径方向に突出する突出部を形成した連結ピンを挿入することにより前記長さ調整中駒を介して前記一方及び他方の長さ調整外駒を着脱可能に連結してなるバンドの長さ調節構造において、
前記長さ調整中駒に設けられた前記連結貫通穴の一端に、前記長さ調整外駒の前記連結貫通穴より径大の段穴部を形成し、
前記連結ピンの突出部を、その金属線を二つ折りした折線部毎に、前記連結ピンの軸線方向に対して略垂直に立ち上がる片側突出部を互いに背向して矩形形状に形成すると共に、前記長さ調整外駒の前記連結貫通穴より径大で且つ前記段穴部より径小に形成し、
前記連結ピンを前記長さ調整外駒の前記連結貫通穴より挿入し、前記長さ調整中駒の前記段穴部に前記突出部を落とし込み装着したとき、前記連結ピンの前記突出部を前記段穴部に圧接せずに配設するようにし、
前記段穴部に落とし込んだ前記連結ピンが、その矩形をなす前記突出部の４つの角部でバンド短手方向の移動を規制されるバンドの長さ調節構造。
【請求項４】
一端に形成した凹部を挟んだアーム部にバンド短手方向に沿う連結貫通穴を有する一方及び他方の長さ調整外駒と、前記一方及び他方の長さ調整外駒の前記凹部が成す孔状部に挿入されてバンド短手方向に沿う連結貫通穴をバンド長手方向に一対設けた長さ調整中駒とを有し、
前記一方及び他方の長さ調整外駒の前記連結貫通穴と前記長さ調整中駒の前記連結貫通穴とに、半甲丸状の断面を有する金属線を二つ折りに折曲して、その一部に互いに背向して径方向に突出する突出部を形成した連結ピンを挿入することにより前記長さ調整中駒を介して前記一方及び他方の長さ調整外駒を着脱可能に連結してなるバンドの長さ調節構造において、
前記長さ調整中駒に設けられた前記連結貫通穴を、前記長さ調整外駒の前記連結貫通穴より径大の径大連結貫通穴で構成し、
前記連結ピンの突出部を、その金属線を二つ折りした折線部毎に、前記連結ピンの軸線方向に対して略垂直に立ち上がる片側突出部を互いに背向して矩形形状に形成すると共に、前記長さ調整外駒の前記連結貫通穴より径大で且つ前記径大連結貫通穴より径小に形成し、
前記連結ピンを前記長さ調整外駒の前記連結貫通穴より挿入し、前記長さ調整中駒の前記径大連結貫通穴に前記突出部を落とし込み装着したとき、前記連結ピンの突出部を前記径大連結貫通穴に圧接せずに配設するようにし、
前記径大連結貫通穴に落とし込んだ前記連結ピンが、その矩形をなす前記突出部の４つの角部でバンド短手方向の移動を規制されるバンドの長さ調節構造。
【請求項５】
前記連結ピンが前記駒から圧迫を受けず、自由状態で組み込まれている請求項１又は請求項２又は請求項３又は請求項４記載のバンドの長さ調節構造。
【請求項６】
前記長さ調整駒の前記凹部の前記連結貫通穴の外端又は前記長さ調整外駒の前記連結貫通穴の外端から前記段穴部の底までの長さＳと、前記連結ピンの二つ折りに折曲した端面から前記突出部の一端までの長さＬとの関係が、
Ｓ＜Ｌ
である請求項１又は請求項３記載のバンドの長さ調節構造。
【請求項７】
前記バンドは、時計バンド、衣料用バンド、ブレスレット、ネックレスの中の一つである請求項１又は請求項２又は請求項３又は請求項４記載のバンドの長さ調節構造
【発明の詳細な説明】
【０００１】
【発明の属する技術分野】
本発明は、時計バンド、衣料用バンド、バンド構成のブレスレット及びネックレス等のバンドの長さ調節構造に関するものである。
【０００２】
【従来の技術】
従来のバンドの長さ調節構造は、図１３に示すように一端に形成した凹部６０を挟んだアーム部６１Ａ、６１Ｂにバンド短手方向に沿う凹部側連結貫通穴６２Ａ、６２Ｂを有し且つ他端に形成した凸部６４にバンド短手方向に沿う凸部側連結貫通穴６５を有する一方及び他方の長さ調整駒６３、６６と、一方及び他方の長さ調整駒６３、６６を連結する連結ピン６７とを有しており、この連結ピン６７は、半甲丸状の断面を有する金属線６８を二つ折りに折曲して、その一部に互いに背向して径方向に突出する突出部６９を形成して構成してあり、この突出部６９は、その金属線６８を二つ折りした折線部６８Ａ毎に、連結ピン６７の軸線方向に対して外方に膨出する円弧形状の片側突出部６９Ａを互いに背向して略円形状にして形成してある。
【０００３】
そして、一方及び他方の長さ調整駒６３、６６において、一方の長さ調整駒６３の凹部６０に、他方の長さ調整駒６６の凸部６４を挿入した状態で、凹部側連結貫通穴６２Ａから凸部側連結貫通穴６５を介して凹部側連結貫通穴６２Ｂに連結ピン６７を挿入することにより、隣り合う一方及び他方の長さ調整駒６３、６６が互いに連結してある。
【０００４】
この場合、連結ピン６７の突出部６９は、図１４に示すように圧縮された状態で凹部側連結貫通穴６２Ａ内に位置していて、突出部６９は、そのばね力（圧縮反力）で凹部側連結貫通穴６２Ａの周面部に食い付いて、連結ピン６７が固定状態になっている。
【０００５】
しかしながら、凹部側連結貫通穴６２Ａと連結ピン６７のばね性を有する突出部６９との嵌合で連結ピン６７が固定状態になっているために、凹部側連結貫通穴６２Ａの径のバラツキで連結ピン６７の固定力が変化し、すなわち、ばね性が弱い場合には、時計の携帯中に連結ピン６７が抜けて脱落する危険性があるし、ばね性が強い場合には、隣り合う長さ調整駒６３、６６の連結作業がしづらくなり、販売店等で長さ調整する場合、連結ピン６７が抜けづらく作業性が悪い。また、長期の使用により連結ピン６７の突出部６９が錆等の経時劣化を起こし連結ピン６７が抜けづらくなったり、折れて脱落する危険性があるという問題点があった。
【０００６】
このような問題点を解消するバンドの長さ調節構造として、図１５、図１６に示すように一方の長さ調整駒７０の凹部側連結貫通穴７１Ａ、７１Ｂと、他方の長さ調整駒７２の凸部側連結貫通穴７３とのそれぞれの対向する開口部双方に円錐状のさらい部７４、７５を形成し、また、突出部７６を、その金属線７７を二つ折りした折線部７７Ａ毎に外方に膨出する山形状の片側突出部７６Ａを互いに背向して菱形状にして形成した連結ピン７９を用い、この連結ピン７９を、凹部側連結貫通穴７１Ａから凸部側連結貫通穴７３を介して凹部側連結貫通穴７１Ｂに挿入し、前記突出部７６を、互いに合わされたさらい部７４、７５に係合することにより、隣り合う一方及び他方の長さ調整駒７０、７２を互いに連結したものがある。
【０００７】
【発明が解決しようとする課題】
しかしながら、上記従来のバンドの長さ調節構造では、一方の長さ調整駒７０の凹部側連結貫通穴７１Ａと他方の長さ調整駒７２の凸部側連結貫通穴７３とのそれぞれの対向する開口部双方に円錐状のさらい部７４、７５を形成する必要があり、これらの円錐状のさらい部７４、７５は加工が難しく、また、さらい部７４、７５と前記突出部７６が共に傾斜した状態で対向しているために、連結ピン７９の脱落は皆無ではないという問題点があった。
【０００８】
本発明は、上記の問題点に着目して成されたものであって、その目的とするところは、連結ピン自体の材料特性（スプリング性等）が継続し、連結ピンの脱落が皆無になるし、また、連結ピンを繰り返し使用しても安定した着脱作業を行うことができるバンドの長さ調節構造を提供することにある。
【０００９】
【課題を解決するための手段】
上記の目的を達成するために、本発明に係わるバンドの長さ調節構造は、一端に形成した凹部を挟んだアーム部にバンド短手方向に沿う連結貫通穴を有する一方の長さ調整駒と、前記凹部に組み合わされる凸部を有し且つ前記凸部にバンド短手方向に沿う連結貫通穴を有する他方の長さ調整駒とを有し、前記一方及び他方の長さ調整駒の前記連結貫通穴に、半甲丸状の断面を有する金属線を二つ折りに折曲して、その一部に互いに背向して径方向に突出する突出部を形成した連結ピンを挿入することにより前記一方及び他方の長さ調整駒を着脱可能に連結してなるバンドの長さ調節構造において、前記他方の長さ調整駒の前記凸部に設けられた前記連結貫通穴の一端に、前記一方の長さ調整駒の前記凹部の前記連結貫通穴より径大の段穴部を形成し、前記連結ピンの突出部を、その金属線を二つ折りした折線部毎に、前記連結ピンの軸線方向に対して略垂直に立ち上がる片側突出部を互いに背向して矩形形状に形成すると共に、前記凹部の前記連結貫通穴より径大で且つ前記段穴部より径小に形成し、前記連結ピンを前記凹部の前記連結貫通穴より挿入し、前記段穴部に前記突出部を落とし込み装着したとき、前記連結ピンの前記突出部を前記段穴部に圧接せずに配設し、
前記段穴部に落とし込んだ前記連結ピンが、その矩形をなす前記突出部の４つの角部でバンド短手方向の移動を規制されるようにしたことを特徴とする。
【００１０】
かかる構成により、前記連結ピンの突出部は、その金属線を二つ折りした折線部毎に、前記連結ピンの軸線方向に対して略垂直に立ち上がる片側突出部を互いに背向して矩形形状に形成されており、また、前記凹部の前記連結貫通穴より径大で且つ前記段穴部より径小にしてあるために、突出部が段穴部に挿入された状態では、連結ピンは、前記凹部と前記凸部の前記連結貫通穴、段穴部内に自由な状態で組み込まれており、圧接部分がない。このために、連結ピン自体の材料特性（スプリング性等）が継続し、連結ピンの脱落が皆無になるし、また、連結ピンを繰り返し使用しても安定した着脱作業を行うことができる。
【００１１】
また、連結ピンを、凹部の連結貫通穴に、続けて凸部の連結貫通穴に挿入していくと、突出部が凹部の連結貫通穴により中心側に圧縮を受けて撓み、突出部が段穴部に挿入されると、突出部が段穴部の径方向に変位して「カツン」という感触を指先に受けるために、連結ピンの突出部が段穴部に完全に入ったことが解る。つまり、連結ピンの組み込みが確実に行われたことが感触として確認できるため、連結ピンの位置を微妙に調べながら押し込む必要がなく作業性が向上する。
【００１２】
また、前記連結ピンの突出部の角部が段穴部の端部に干渉して、この段穴部がストッパーの働きをするために、連結ピンの位置が安定し、腕時計の携帯にずれることがない。また、連結ピン自体の材料特性（スプリング性等）が継続するために、バンドの長さ調節構造としての信頼性が高く評価される。
【００１３】
しかも、長さ調整駒の連結部分を設計する上で段穴部の寸法を確保することは容易であり、バンドのデザインを特別に制約することがなく、新モデル企画に対してデザインテストの大幅な変更を要求しない。また、凹部の連結貫通穴は連結ピンの突出部の径より小さいために、凹部の連結貫通穴の外から見える端部は径小なものであり、外観上見栄えがよくなる。また、前記連結ピンを取り外す場合には、力のかけ方が一定で済むために、連結ピンの取り外す作業が安定する。
【００１４】
また、上記の目的を達成するために、本発明に係わるバンドの長さ調節構造は、一端に形成した凹部を挟んだアーム部にバンド短手方向に沿う連結貫通穴を有する一方の長さ調整駒と、前記凹部に組み合わされる凸部を有し且つ前記凸部にバンド短手方向に沿う連結貫通穴を有する他方の長さ調整駒とを有し、前記一方及び他方の長さ調整駒の前記連結貫通穴に、半甲丸状の断面を有する金属線を二つ折りに折曲して、その一部に互いに背向して径方向に突出する突出部を形成した連結ピンを挿入することにより前記一方及び他方の長さ調整駒を着脱可能に連結してなるバンドの長さ調節構造において、前記他方の長さ調整駒の前記凸部に設けられた前記連結貫通穴を、前記一方の長さ調整駒の前記凹部の前記連結貫通穴より径大の径大連結貫通穴で構成し、前記連結ピンの突出部を、その金属線を二つ折りした折線部毎に、前記連結ピンの軸線方向に対して略垂直に立ち上がる片側突出部を互いに背向して矩形形状に形成すると共に、前記凹部の前記連結貫通穴より径大で且つ前記径大連結貫通穴より径小に形成し、前記連結ピンを前記凹部の前記連結貫通穴より挿入し、前記径大連結貫通穴に前記突出部を落とし込み装着したとき、前記連結ピンの前記突出部を前記径大連結貫通穴に圧接せずに配設するようにし、
前記径大連結貫通穴に落とし込んだ前記連結ピンが、その矩形をなす前記突出部の４つの角部でバンド短手方向の移動を規制されるようにしたことを特徴とする。
【００１５】
かかる構成により、前記連結ピンの突出部は、その金属線を二つ折りした折線部毎に、前記連結ピンの軸線方向に対して略垂直に立ち上がる片側突出部を互いに背向して矩形形状に形成されており、また、前記凹部の前記連結貫通穴より径大で且つ前記径大連結貫通穴より径小にしてあるために、突出部が径大連結貫通穴に挿入された状態では、連結ピンは、凹部の連結貫通穴、径大連結貫通穴内に自由な状態で組み込まれており、圧接部分がない。このために、連結ピン自体の材料特性（スプリング性等）が継続し、連結ピンの脱落が皆無になるし、また、連結ピンを繰り返し使用しても安定した着脱作業を行うことができる。
【００１６】
また、連結ピンを、凹部の連結貫通穴に、続けて径大連結貫通穴に挿入していくと、突出部が凹部の連結貫通穴により中心側に圧縮を受けて撓み、突出部が径大連結貫通穴に挿入されると、突出部が径大連結貫通穴の径方向に変位して「カツン」という感触を指先に受けるために、連結ピンの突出部が径大連結貫通穴に完全に入ったことが解る。つまり、連結ピンの組み込みが確実に行われたことが感触として確認できるため、連結ピンの位置を微妙に調べながら押し込む必要がなく作業性が向上する。
【００１７】
また、前記連結ピンの突出部の角部が径大連結貫通穴の端部に干渉して、この径大連結貫通穴がストッパーの働きをするために、連結ピンの位置が安定し、腕時計の携帯にずれることがない。また、連結ピン自体の材料特性（スプリング性等）が継続するために、バンドの長さ調節構造としての信頼性が高く評価される。
【００１８】
しかも、長さ調整駒の連結部分を設計する上で径大連結貫通穴の寸法を確保することは容易であり、バンドのデザインを特別に制約することがなく、新モデル企画に対してデザインテストの大幅な変更を要求しない。また、凹部の連結貫通穴は連結ピンの突出部の径より小さいために、凹部の連結貫通穴の外から見える端部は径小なものであり、外観上見栄えがよくなる。また、前記連結ピンを取り外す場合には、力のかけ方が一定で済むために、連結ピンの取り外す作業が安定する。
【００１９】
また、上記の目的を達成するために、本発明に係わるバンドの長さ調節構造は、一端に形成した凹部を挟んだアーム部にバンド短手方向に沿う連結貫通穴を有する一方及び他方の長さ調整外駒と、前記一方及び他方の長さ調整外駒の前記凹部が成す孔状部に挿入されてバンド短手方向に沿う連結貫通穴をバンド長手方向に一対設けた長さ調整中駒とを有し、前記一方及び他方の長さ調整外駒の前記連結貫通穴と前記長さ調整中駒の前記連結貫通穴とに、半甲丸状の断面を有する金属線を二つ折りに折曲して、その一部に互いに背向して径方向に突出する突出部を形成した連結ピンを挿入することにより前記長さ調整中駒を介して前記一方及び他方の長さ調整外駒を着脱可能に連結してなるバンドの長さ調節構造において、前記長さ調整中駒に設けられた前記連結貫通穴の一端に、前記長さ調整外駒の前記連結貫通穴より径大の段穴部を形成し、前記連結ピンの突出部を、その金属線を二つ折りした折線部毎に、前記連結ピンの軸線方向に対して略垂直に立ち上がる片側突出部を互いに背向して矩形形状に形成すると共に、前記長さ調整外駒の前記連結貫通穴より径大で且つ前記段穴部より径小に形成し、前記連結ピンを前記長さ調整外駒の前記連結貫通穴より挿入し、前記長さ調整中駒の前記段穴部に前記突出部を落とし込み装着したとき、前記連結ピンの前記突出部を前記段穴部に圧接せずに配設するようにし、
前記段穴部に落とし込んだ前記連結ピンが、その矩形をなす前記突出部の４つの角部でバンド短手方向の移動を規制されるようにしたことを特徴とする。
【００２０】
かかる構成により、前記連結ピンの突出部は、その金属線を二つ折りした折線部毎に、前記連結ピンの軸線方向に対して略垂直に立ち上がる片側突出部を互いに背向して矩形形状に形成されており、また、前記一方及び他方の長さ調整外駒の前記連結貫通穴より径大で且つ前記段穴部より径小にしてあるために、突出部が段穴部に挿入された状態では、連結ピンは、前記一方及び他方の長さ調整外駒の前記連結貫通穴と前記長さ調整中駒の前記連結貫通穴、段穴部内に自由な状態で組み込まれており、圧接部分がない。このために、連結ピン自体の材料特性  （スプリング性等）が継続し、連結ピンの脱落が皆無になるし、また、連結ピンを繰り返し使用しても安定した着脱作業を行うことができる。
【００２１】
また、連結ピンを、長さ調整外駒の連結貫通穴に、続けて長さ調整中駒の前記連結貫通穴に挿入していくと、突出部が長さ調整外駒の連結貫通穴により中心側に圧縮を受けて撓み、突出部が段穴部に挿入されると、突出部が段穴部の径方向に変位して「カツン」という感触を指先に受けるために、連結ピンの突出部が段穴部に完全に入ったことが解る。つまり、連結ピンの組み込みが確実に行われたことが感触として確認できるため、連結ピンの位置を微妙に調べながら押し込む必要がなく作業性が向上する。
【００２２】
また、前記連結ピンの突出部の角部が段穴部の端部に干渉して、この段穴部がストッパーの働きをするために、連結ピンの位置が安定し、腕時計の携帯にずれることがない。また、連結ピン自体の材料特性（スプリング性等）が継続するために、バンドの長さ調節構造としての信頼性が高く評価される。
【００２３】
しかも、長さ調整駒の連結部分を設計する上で段穴部の寸法を確保することは容易であり、バンドのデザインを特別に制約することがなく、新モデル企画に対してデザインテストの大幅な変更を要求しない。また、前記長さ調整外駒の連結貫通穴は連結ピンの突出部の径より小さいために、前記長さ調整外駒の連結貫通穴の外から見える端部は径小なものであり、外観上見栄えがよくなる。また、前記連結ピンを取り外す場合には、力のかけ方が一定で済むために、連結ピンの取り外す作業が安定する。
【００２４】
また、上記の目的を達成するために、本発明に係わるバンドの長さ調節構造は、一端に形成した凹部を挟んだアーム部にバンド短手方向に沿う連結貫通穴を有する一方及び他方の長さ調整外駒と、前記一方及び他方の長さ調整外駒の前記凹部が成す孔状部に挿入されてバンド短手方向に沿う連結貫通穴をバンド長手方向に一対設けた長さ調整中駒とを有し、前記一方及び他方の長さ調整外駒の前記連結貫通穴と前記長さ調整中駒の前記連結貫通穴とに、半甲丸状の断面を有する金属線を二つ折りに折曲して、その一部に互いに背向して径方向に突出する突出部を形成した連結ピンを挿入することにより前記長さ調整中駒を介して前記一方及び他方の長さ調整外駒を着脱可能に連結してなるバンドの長さ調節構造において、前記長さ調整中駒に設けられた前記連結貫通穴を、前記長さ調整外駒の前記連結貫通穴より径大の径大連結貫通穴で構成し、前記連結ピンの突出部を、その金属線を二つ折りした折線部毎に、前記連結ピンの軸線方向に対して略垂直に立ち上がる片側突出部を互いに背向して矩形形状に形成すると共に、前記長さ調整外駒の前記連結貫通穴より径大で且つ前記径大連結貫通穴より径小に形成し、前記連結ピンを前記長さ調整外駒の前記連結貫通穴より挿入し、前記長さ調整中駒の前記径大連結貫通穴に前記突出部を落とし込み装着したとき、前記連結ピンの突出部を前記径大連結貫通穴に圧接せずに配設するようにし、
前記径大連結貫通穴に落とし込んだ前記連結ピンが、その矩形をなす前記突出部の４つの角部でバンド短手方向の移動を規制されるようにしたことを特徴とする。
【００２５】
かかる構成により、前記連結ピンの突出部は、その金属線を二つ折りした折線部毎に、前記連結ピンの軸線方向に対して略垂直に立ち上がる片側突出部を互いに背向して矩形形状に形成されており、また、前記長さ調整外駒の前記連結貫通穴より径大で且つ前記径大連結貫通穴より径小にしてあるために、突出部が径大連結貫通穴に挿入された状態では、連結ピンは、連結貫通穴、径大連結貫通穴内に自由な状態で組み込まれており、圧接部分がない。このために、連結ピン自体の材料特性（スプリング性等）が継続し、連結ピンの脱落が皆無になるし、また、連結ピンを繰り返し使用しても安定した着脱作業を行うことができる。
【００２６】
また、連結ピンを、長さ調整外駒の連結貫通穴に、続けて径大連結貫通穴に挿入していくと、突出部が長さ調整外駒の連結貫通穴により中心側に圧縮を受けて撓み、突出部が径大連結貫通穴に挿入されると、突出部が径大連結貫通穴の径方向に変位して「カツン」という感触を指先に受けるために、連結ピンの突出部が径大連結貫通穴に完全に入ったことが解る。つまり、連結ピンの組み込みが確実に行われたことが感触として確認できるため、連結ピンの位置を微妙に調べながら押し込む必要がなく作業性が向上する。
【００２７】
また、前記連結ピンの突出部の角部が径大連結貫通穴の端部に干渉して、この径大連結貫通穴がストッパーの働きをするために、連結ピンの位置が安定し、腕時計の携帯にずれることがない。また、連結ピン自体の材料特性（スプリング性等）が継続するために、バンドの長さ調節構造としての信頼性が高く評価される。
【００２８】
しかも、長さ調整駒の連結部分を設計する上で径大連結貫通穴の寸法を確保することは容易であり、バンドのデザインを特別に制約することがなく、新モデル企画に対してデザインテストの大幅な変更を要求しない。また、長さ調整外駒の連結貫通穴は連結ピンの突出部の径より小さいために、長さ調整外駒の連結貫通穴の外から見える端部は径小なものであり、外観上見栄えがよくなる。また、前記連結ピンを取り外す場合には、力のかけ方が一定で済むために、連結ピンの取り外す作業が安定する。
【００２９】
また、上記の目的を達成するために、本発明に係わるバンドの長さ調節構造は、上述のバンドの長さ調節構造において、前記段穴部または前記径大連結貫通穴に落とし込んだ前記連結ピンが、その矩形をなす前記突出部の４つの角部でバンド短手方向の移動を規制されている。
【００３０】
かかる構成により、上記した請求項１の発明の作用と同様な作用を奏し得るばかりか、前記連結ピンの突出部の角部が前記段穴部または径大連結貫通穴の端部に干渉して、前記段穴部または径大連結貫通穴がストッパーの働きをするために、連結ピンの位置が安定し、腕時計の携帯にずれることがない。また、連結ピン自体の材料特性（スプリング性等）が継続するために、バンドの長さ調節構造としての信頼性が高く評価される。
【００３１】
また、上記の目的を達成するために、本発明に係わるバンドの長さ調節構造は、上述のバンドの長さ調節構造において、前記連結ピンが前記駒から圧迫を受けず、自由状態で組み込まれている。
【００３２】
かかる構成により、上記した請求項１の発明の作用と同様な作用を奏し得るばかりか、圧接部分がまったくないために、連結ピン自体の材料特性（スプリング性等）が継続し、連結ピンの脱落が皆無になるし、また、同じく連結ピンを繰り返し使用しても安定した作業を行うことができる。
【００３３】
また、上記の目的を達成するために、本発明に係わるバンドの長さ調節構造は、上述の長さ調節構造において、前記長さ調整駒の前記凹部の前記連結貫通穴の外端又は前記長さ調整外駒の前記連結貫通穴の外端から前記段穴部の底までの長さＳと、前記連結ピンの二つ折りに折曲した端面から前記突出部の一端までの長さＬとの関係が、
Ｓ＜Ｌ
である。
【００３４】
かかる構成により、上記した請求項１の発明の作用と同様な作用を奏し得るばかりか、連結ピンの先端部が案内の役目をして円滑に突出部を段穴部に装着することができる。
【００３５】
また、上記の目的を達成するために本発明に係わるバンドの長さ調節構造は、上述のバンドの長さ調節構造において、前記バンドは、時計バンド、衣料用バンド、ブレスレット、ネックレスの中の一つである。
【００３６】
かかる構成により、上記した請求項１の発明の作用と同様な作用を奏し得るばかりか、前記バンドを、時計バンド、衣料用バンド、ブレスレット、ネックレスに使用することができる。
【００３７】
【発明の実施の形態】
以下、本発明の実施の形態を図面に基づいて説明する。
【００３８】
（実施例１）
本発明に係わるバンドの長さ調節構造（実施例１）を図１乃至図６に示す。
図１は本発明に係わるバンドの長さ調節構造（実施例１）の分解状態の斜視図、図２は図１のＡ−Ａ線に沿う断面図、図３の（１）は図２のＢ−Ｂ線に沿う断面図、図３の（２）は図２のＣ−Ｃ線に沿う断面図、図３の（３）は図２のＤ−Ｄ線に沿う断面図、図４は図２のＥ部の拡大図、図５は本発明に係わるバンドの長さ調節構造（実施例１）の一部断面した平面図、図６の（１）は同バンドの長さ調節構造（実施例１）における連結ピンの側面図、図６の（２）は同連結ピンの片側突出部の拡大図、図６の（３）は図６の（１）のＦ−Ｆ線に沿う断面図、図６の（４）は図６の（１）のＧ−Ｇ線に沿う断面図、図６の（５）は図６の（１）のＨ−Ｈ線に沿う断面図である。
【００３９】
バンドは、隣り合う長さ調整駒２をヘアーピン状の連結ピン３で連結して構成してある。これらの長さ調整駒２は、駒本体２Ａを有しており、この駒本体２Ａの一端部には、凹部５Ａと、この凹部５Ａの両側（バンド短手方向に両側）に位置するアーム部４Ａ、４Ｂとが形成してあり、また、駒本体２Ａの他端部には凸部５が形成してある。この凸部５の幅寸法は凹部５Ａの幅寸法よりもやや小さ目にしてある。
【００４０】
そして、アーム部４Ａ、４Ｂにはバンド短手方向に沿う凹部側連結貫通穴（凹部の連結貫通穴）６Ａ、６Ｂが形成してあり、凸部５にはバンド短手方向に沿う凸部側連結貫通穴（凸部の連結貫通穴）７が形成してあり、この凸部側連結貫通穴７の一端には、凹部側連結貫通穴６Ａ、６Ｂより径大の段穴部７Ａが形成してある。そして、隣り合う長さ調整駒２において、一方の長さ調整駒２の凹部５Ａに、他方の長さ調整駒２の凸部５を挿入した状態では、凹部側連結貫通穴６Ａ、６Ｂと凸部側連結貫通穴７とは一直線上に位置するものである。
【００４１】
前記連結ピン３は、図６の（１）〜（５）に示すように半甲丸状の断面を有する金属線８を二つ折りに折曲して、その一部に互いに背向して径方向に突出する突出部９を形成して構成してあり、この突出部９は、その金属線８を二つ折りした折線部８Ａ毎に、連結ピン３の軸線方向に対してに略垂直（８５度〜９０度）に（段穴部７Ａの径方向）立ち上がり、片側突出部９Ａを互いに背向して矩形形状にして形成してあって、この突出部９は、片側突出部９Ａの両端が成す４つの角部１０ａ、１０ｂを有している。そして、突出部９の高さｈは，凹部側連結貫通穴６Ａ、６Ｂ、凸部側連結貫通穴７のそれぞれの直径より大きくしてある。そして、連結ピン３は、突出部９を中にして一方及び他方のピン部３Ａ、３Ｂを有しており、一方のピン部３Ａの長さ寸法はＬである。
【００４２】
そして、隣り合う長さ調整駒２において、一方の長さ調整駒２の凹部５Ａに、他方の長さ調整駒２の凸部５を挿入した状態で、一方の凹部側連結貫通穴６Ａから凸部側連結貫通穴７を介して他方の凹部側連結貫通穴６Ｂに前記連結ピン３を挿入することにより、隣り合う長さ調整駒２が互いに連結してある。
【００４３】
すなわち、前記連結ピン３を、その一方のピン部３Ａ側から一方の凹部側連結貫通穴６Ａに、続けて凸部側連結貫通穴７に挿入していくと、突出部９が凹部側連結貫通穴６Ａにより中心側に圧縮を受けて撓み、突出部９が段穴部７Ａに挿入されて突出部９の他方の角部１０ｂが凹部側連結貫通穴６Ａの端部を過ぎると、突出部９が段穴部７Ａの径方向に変位して「カツン」という感触を指先に受ける。これにより突出部９が段穴部７Ａに入ったことが解る。
【００４４】
この状態では、連結ピン３の一方のピン部３Ａは凸部側連結貫通穴７から他方の凹部側連結貫通穴６Ｂ内に至り、また、連結ピン３の他方のピン部３Ｂは一方の凹部側連結貫通穴６Ａ内に位置しており、隣り合う長さ調整駒２は連結ピン３により互いに連結される。
【００４５】
この場合、長さ調整駒２の凹部側連結貫通穴６Ａの外端から段穴部７Ａの底までの長さＳと、連結ピン３の一方のピン部３Ａの長さ、すなわち、二つ折りに折曲した端面３ａから突出部９（一方の角部１０ａ）の一端までの長さＬとの関係は、
Ｓ＜Ｌ
である。
【００４６】
この場合、連結ピン３の一方のピン部３Ａが案内の役目をして円滑に前記突出部９を段穴部７Ａを装着することができる。Ｓ≧Ｌの場合には、連結ピン３の突出部９が凹部側連結貫通穴６Ａにわずかに挿入された時、連結ピン３の先端が段穴部７Ａ内にあり、突出部９を凹部側連結貫通穴６Ａに更に挿入すると、連結ピン３の先端が段穴部７Ａ内で上方を向いたり、下方を向いたりして安定せず、更に挿入すると、連結ピン３の先端が段穴部７Ａの底に突き当たりして、一方のピン部３Ａが凹部側連結貫通穴６Ｂに案内されにくくなる。この結果、連結ピン３の連結貫通穴６Ａ、６Ｂへの挿入作業性が著しく悪くなる。
【００４７】
連結ピン３は、凹部側連結貫通穴６Ａ、６Ｂ、段穴部７Ａおよび凸部側連結貫通穴７内に自由な状態で組み込まれており（駒から圧迫を受けず）、圧接部分がまったくない。このために、連結ピン３自体の材料特性（スプリング性等）が継続し、同じく連結ピン３を繰り返し使用しても安定した着脱作業を行うことができる。
【００４８】
また、上記したように連結ピン３を押し込んでいくと、最後に「カツン」という感触を指先に受けるために、連結ピン３の突出部９が段穴部７Ａに完全に入ったことが解る。つまり、連結ピン３の組み込みが確実に行われたことが感触として確認できるため、連結ピン３の位置を微妙に調べながら押し込む必要がなく作業性が向上する。
【００４９】
また、前記連結ピン３の突出部９の角部１０ａ、１０ｂが段穴部７Ａの端部に干渉して、この段穴部７Ａがストッパーの働きをするために、連結ピン３の位置が安定し、腕時計の携帯にずれることがない。また、連結ピン３自体の材料特性（スプリング性等）が継続するために、バンドの長さ調節構造としての信頼性が高く評価される。
【００５０】
しかも、長さ調整駒２の連結部分を設計する上で段穴部７Ａの寸法を確保することは容易であり、バンドのデザインを特別に制約することがなく、新モデル企画に対してデザインテストの大幅な変更を要求しない。また、凹部側連結貫通穴６Ａ、６Ｂは連結ピン３の突出部９の径より小さいために、凹部側連結貫通穴６Ａ、６Ｂの外から見える端部は径小なものであり、外観上見栄えがよくなる。また、前記連結ピン３を取り外す場合には、力のかけ方が一定で済むために、連結ピン３の取り外す作業が安定する。
【００５１】
なお、長さ調整駒２としては、その駒本体の一端部に複数の凹部と、これらの凹部により形成される複数のアーム部とを形成し、また、駒本体の他端部に複数の凸部を形成し、アーム部にバンド短手方向に沿う凹部側連結貫通穴を、凸部にはバンド短手方向に沿う凸部側連結貫通穴を形成して、これらの凸部側連結貫通穴の一端に、凹部側連結貫通穴より径大の段穴部を形成して、隣り合う長さ調整駒２において、一方の長さ調整駒２の凹部に、他方の長さ調整駒２の凸部を挿入した状態で、一方の凹部側連結貫通穴から凸部側連結貫通穴を介して他方の凹部側連結貫通穴に連結ピン３を挿入し、連結ピン３の突出部９を段穴部に挿入することにより、隣り合う長さ調整駒２が互いに連結するようにしてもよい。
【００５２】
（実施例２）
本発明に係わるバンドの長さ調節構造（実施例２）を図７乃至図８に示す。
図７は本発明に係わるバンドの長さ調節構造（実施例２）の分解状態の斜視図、図８は図７のＩ−Ｉ線に沿う断面図である。
【００５３】
実施例２に係わるバンドの長さ調節構造は、実施例１の長さ調節構造を備えたバンドより幅の狭い（バンドの幅が５ｍｍ〜６ｍｍ以下のものに使用）、女性用バンドに具備されるものであり、そのバンドの隣り合う長さ調整駒１２は駒本体１２Ａを有しており、この駒本体１２Ａの一端部には、凹部１５Ａと、この凹部１５Ａの両側（バンド短手方向に両側）に位置するアーム部１４Ａ、１４Ｂとが形成してあり、また、駒本体１２Ａの他端部には凸部１５が形成してある。この凸部１５の幅寸法は凹部１５Ａの幅寸法よりやや小さめにしてある。
【００５４】
そして、アーム部１４Ａ、１４Ｂにはバンド短手方向に沿う凹部側連結貫通穴１６Ａ、１６Ｂが形成してあり、凸部１５にはバンド短手方向に沿う凸部側径大連結貫通穴（径大連結貫通穴）１７が形成してある。そして、隣り合う長さ調整駒１２において、一方の長さ調整駒１２の凹部１５Ａに、他方の長さ調整駒１２の凸部１５を挿入した状態では、凹部側連結貫通穴１６Ａ、１６Ｂと凸部側径大連結貫通穴１７とは一直線上に位置するものである。
【００５５】
前記連結ピン１３は、半甲丸状の断面を有する金属線１８を二つ折りに折曲して、その一部に互いに背向して径方向に突出する突出部１９を形成して構成してあり、この突出部１９は、その金属線１８を二つ折りした折線部１８Ａ毎に、連結ピン１３の軸線方向に対してに略垂直に（凸部側径大連結貫通穴１７の径方向）立ち上がり、片側突出部１９Ａを互いに背向して矩形形状にして形成してあって、この突出部１９は、片側突出部１９Ａの両端が成す４つの角部２０ａ、２０ｂを有している。
【００５６】
そして、突出部１９の高さｈは、凹部側連結貫通穴１６Ａ、１６Ｂの直径より大きくしてある。そして、連結ピン１３は、突出部１９を中にして、互いに長さ寸法が略等しい一方及び他方のピン部１３Ａ、１３Ｂを有しており、突出部１９の長さは凸部側径大連結貫通穴１７の長さ寸法よりやや小さめにしてある。
【００５７】
そして、隣り合う長さ調整駒１２において、一方の長さ調整駒１２の凹部１５Ａに、他方の長さ調整駒１２の凸部１５を挿入した状態で、凹部側連結貫通穴１６Ａから凸部側径大連結貫通穴１７を介して凹部側連結貫通穴１６Ｂに前記連結ピン１３を挿入することにより、隣り合う長さ調整駒１２が互いに連結してある。
【００５８】
すなわち、前記連結ピン１３を、その一方のピン部１３Ａ側から一方の凹部側連結貫通穴１６Ａに、続けて凸部側連結貫通穴１７に挿入していくと、突出部１９が凹部側連結貫通穴１６Ａにより中心側に圧縮を受けて撓み、突出部１９が凸部側径大連結貫通穴１７に挿入されて突出部１９の他方の角部２０ｂが凹部側連結貫通穴１６Ａの端部を過ぎると、突出部１９が凸部側径大連結貫通穴１７の径方向に変位して「カツン」という感触を指先に受ける。これにより突出部１９が凸部側径大連結貫通穴１７に入ったことが解る。
【００５９】
この状態では、連結ピン１３の一方のピン部１３Ａは凸部側径大連結貫通穴１７から凹部側連結貫通穴１６Ｂ内に至り、また、連結ピン１３の他方のピン部１３Ｂは凹部側連結貫通穴１６Ａ内に位置しており、隣り合う長さ調整駒１２は連結ピン１３により互いに連結される。
【００６０】
この場合、連結ピン１３は、凹部側連結貫通穴１６Ａ、１６Ｂ、凸部側径大連結貫通穴１７内に自由な状態で組み込まれており（駒から圧迫を受けず）、圧接部分がない。このために、連結ピン１３自体の材料特性（スプリング性等）が継続し、同じく連結ピン１３を繰り返し使用しても安定した着脱作業を行うことができる。
【００６１】
このように構成されたバンドの長さ調節構造は、上記した実施例１の場合と同様な利点を有する。
【００６２】
（実施例３）
本発明に係わるバンドの長さ調節構造（実施例３）を図９乃至図１０に示す。図９は本発明に係わるバンドの長さ調節構造（実施例３）の分解状態の斜視図、図１０は図９のＪ−Ｊ線に沿う断面図である。
【００６３】
実施例３に係わるバンドの長さ調節構造は、長さ調整外駒２２と、互いに隣り合う長さ調整外駒２２を連結するための長さ調整中駒２３とを有しており、長さ調整外駒２２は駒本体２２Ａを有しており、この駒本体２２Ａの一端部には、凹部２４と、この凹部２４の両側（バンド短手方向に両側）に位置するアーム部２５Ａ、２５Ｂとが形成してあり、また、駒本体２２Ａの他端部には、凹部２６と、この凹部２６の両側（バンド短手方向に両側）に位置するアーム部２７Ａ、２７Ｂとが形成してある。そして、アーム部２５Ａ、２５Ｂにはバンド短手方向に沿う外駒側連結貫通穴（長さ調整外駒の連結貫通穴）２８Ａ、２８Ｂが、アーム部２７Ａ、２７Ｂにはバンド短手方向に沿う外駒側連結貫通穴（長さ調整外駒の連結貫通穴）２９Ａ、２９Ｂがそれぞれ形成してある。
【００６４】
また、長さ調整中駒２３は、隣り合う長さ調整外駒２２の互いに対向する凹部２４、２６が成す矩形状の穴部分（穴状部）イに挿入されるべく、矩形ブロック状の駒本体２３Ａを有しており、この駒本体２３Ａには、バンド短手方向に沿う中駒側連結貫通穴（長さ調整中駒の連結貫通穴）３０、３１が形成してあり、これらの中駒側連結貫通穴３０、３１の一端には、外駒側連結貫通穴２８Ａ、２９Ａより径大の段穴部３２、３３が形成してある。そして、隣り合う長さ調整外駒２２の互いに対向する凹部２４、２６が成す矩形状の穴部分イに、長さ調整中駒２３を挿入した状態では、外駒側連結貫通穴２９Ａ、２９Ｂと一方の中駒側連結貫通穴３０とは一直線上に位置し、また、隣り合う長さ調整外駒２２外駒側連結貫通穴２８Ａ、２８Ｂと他方の中駒側連結貫通穴３１とは一直線上に位置するものである。
【００６５】
前記連結ピン３３−１、３３−２は、上記した実施例１の場合における、図６に示す連結ピン３と同じ形状をしているために、その符号を図６に示す連結ピン３と同様にして説明を省略する。
【００６６】
そして、隣り合う一方及び他方の長さ調整外駒２２において、互いに対向する凹部２４、２６が成す矩形状の穴部分イに、長さ調整中駒２３を挿入した状態で、外駒側連結貫通穴２９Ａから一方の中駒側連結貫通穴３０を介して外駒側連結貫通穴２９Ｂに前記連結ピン３３ー１を挿入し、また、隣り合う長さ調整外駒２２の外駒側連結貫通穴２８Ａから他方の中駒側連結貫通穴３１を介して外駒側連結貫通穴２８Ｂに前記連結ピン３３ー２を挿入することにより、隣り合う長さ調整外駒２２が互いに連結してある。
【００６７】
すなわち、前記連結ピン３３−１を、その一方のピン部３Ａ側から外駒側連結貫通穴２９Ａに、続けて一方の中駒側連結貫通穴３０に挿入していくと、突出部９が外駒側連結貫通穴２９Ａにより中心側に圧縮を受けて撓み、突出部９が段穴部３２に挿入されて突出部９の他方の角部１０ｂが外駒側連結貫通穴２９Ａの端部を過ぎると、突出部９が段穴部３２の径方向に変位して「カツン」という感触を指先に受ける。これにより突出部９が段穴部３２に入ったことが解る。この状態では、連結ピン３３ー１の一方のピン部３Ａは一方の中駒側連結貫通穴３０から外駒側連結貫通穴２９Ｂ内に至り、また、連結ピン３３ー１の他方のピン部３Ｂは外駒側連結貫通穴２９Ａ内に位置する。
【００６８】
また、前記連結ピン３３−２を、他方の外駒側連結貫通穴２８Ａから他方の中駒側連結貫通穴３１に挿入した場合においても、上記したように連結ピン３３−１の挿入と同様に突出部９が段穴部３３の径方向に変位して「カツン」という感触を指先に受け、連結ピン３３ー２の一方のピン部３Ａは他方の中駒側連結貫通穴３１から外駒側連結貫通穴２８Ｂ内に至り、また、連結ピン３３ー２のピン部３Ｂは外駒側連結貫通穴２８Ａ内に位置する。これにより、隣り合う長さ調整外駒２２が長さ調整中駒２３と連結ピン３３ー１、３３ー２により互いに連結される。
【００６９】
この場合、連結ピン３３−１、３３−２は、外駒側連結貫通穴２９Ａ、２９Ｂ、２８Ａ、２８Ｂ、中駒側連結貫通穴３０、３１、段穴部３２、３３内に自由な状態で組み込まれており（駒から圧迫を受けず）、圧接部分がない。このために、連結ピン３３−１、３３−２自体の材料特性（スプリング性等）が継続し、同じく連結ピン１３を繰り返し使用しても安定した着脱作業を行うことができる。
【００７０】
このように構成されたバンドの長さ調節構造は、上記した実施例１の場合と同様な利点を有する。
【００７１】
なお、本発明のバンドの長さ調節構造は、長さ調整外駒と、互いに隣り合う長さ調整外駒を連結するための複数の長さ調整中駒を有する場合にも、適用できるものである。
【００７２】
（実施例４）
本発明に係わるバンドの長さ調節構造（実施例４）を図１１及び１２に示す。図１１は本発明に係わるバンドの長さ調節構造（実施例４）の分解状態の斜視図、図１２は図１１のＫ−Ｋ線に沿う断面図である。
【００７３】
実施例４に係わるバンドの長さ調節構造は、実施例３の長さ調節構造を備えたバンドより幅の狭い（バンドの幅が５ｍｍ〜６ｍｍ以下のものに使用）、女性用バンドに具備されるものであり、長さ調整外駒４２と、互いに隣り合う長さ調整外駒４２を連結するための長さ調整中駒４３とを有している。
【００７４】
そして、長さ調整外駒４２は駒本体４２Ａを有しており、この駒本体４２Ａの一端部には、凹部４４と、この凹部４４の両側（バンド短手方向に両側）に位置するアーム部４５Ａ、４５Ｂとが形成してあり、また、駒本体４２Ａの他端部には、凹部４６と、この凹部４６の両側（バンド短手方向に両側）に位置するアーム部４７Ａ、４７Ｂとが形成してある。そして、アーム部４５Ａ、４５Ｂにはバンド短手方向に沿う外駒側連結貫通穴（長さ調整外駒の連結貫通穴）４８Ａ、４８Ｂが、アーム部４７Ａ、４７Ｂにはバンド短手方向に沿う外駒側連結貫通穴（長さ調整外駒の連結貫通穴）４９Ａ、４９Ｂがそれぞれ形成してある。
【００７５】
また、長さ調整中駒４３は、隣り合う長さ調整外駒４２の互いに対向する凹部４４、４６が成す矩形状の穴部分イに挿入されるべく、矩形ブロック状の駒本体４３Ａを有しており、この駒本体４３Ａには、バンド短手方向に沿う２つの中駒側径大連結貫通穴（長さ調整中駒の径大連結貫通穴）５０、５１が形成してある。そして、隣り合う長さ調整外駒４２の互いに対向する凹部４４、４６が成す矩形状の穴部分（穴状部）イに、長さ調整中駒４３を挿入した状態では、外駒側連結貫通穴４９Ａ、４９Ｂと一方の中駒側径大連結貫通穴５０とは一直線上に位置し、また、外駒側連結貫通穴４８Ａ、４８Ｂと他方の中駒側径大連結貫通穴５１とは一直線上に位置するものである。
【００７６】
連結ピン５３ー１、５３ー２は、上記した実施例２の場合における連結ピン１３と略同じ形状をしており、半甲丸状の断面を有する金属線１８を二つ折りに折曲して、その一部に互いに背向して径方向に突出する突出部１９を形成して構成してあり、この突出部１９は、その金属線１８を二つ折りした折線部１８Ａ毎に、連結ピン１３の軸線方向に対してに略垂直に立ち上がり、片側突出部１９Ａを互いに背向して矩形形状にして形成してあって、前記突出部１９は、片側突出部１９Ａの両端が成す４つの角部２０ａ、２０ｂを有している。
【００７７】
そして、突出部１９の高さｈは、凹部側連結貫通穴４８Ａ、４８Ｂの直径より大きくしてある。そして、連結ピン５３ー１、５３ー２は、突出部１９を中にして、互いに長さ寸法が略等しい一方及び他方のピン部１３Ａ、１３Ｂを有しており、突出部１９の長さは長さ調整中駒４３の径大連結貫通穴５０、５１の長さ寸法よりやや小さめにしてある。
【００７８】
そして、隣り合う長さ調整外駒４２において、互いに対向する凹部４４、４６が成す矩形状の穴部分イに、長さ調整中駒４３を挿入した状態で、外駒側連結貫通穴４９Ａから一方の中駒側径大連結貫通穴５０を介して外駒側連結貫通穴４９Ｂに前記連結ピン５３ー１を挿入し、また、外駒側連結貫通穴４８Ａから他方の中駒側径大連結貫通穴５１を介して外駒側連結貫通穴４８Ｂに前記連結ピン５３ー２を挿入することにより、隣り合う長さ調整外駒４２が互いに連結してある。
【００７９】
すなわち、前記連結ピン５３−１を、その一方のピン部１３Ａ側から外駒側連結貫通穴４９Ａに、続けて一方の中駒側径大連結貫通穴５０に挿入していくと、突出部１９が外駒側連結貫通穴４９Ａにより中心側に圧縮を受けて撓み、突出部１９が中駒側径大連結貫通穴５０に挿入されて突出部１９の他方の角部２０ｂが外駒側連結貫通穴４９Ａの端部を過ぎると、突出部１９が中駒側径大連結貫通穴５０の径方向に変位して「カツン」という感触を指先に受ける。これにより突出部１９が中駒側径大連結貫通穴５０に入ったことが解る。この状態では、連結ピン５３ー１の一方のピン部１３Ａは一方の中駒側連結貫通穴５０から外駒側連結貫通穴４９Ｂ内に至り、また、連結ピン５３ー１の他方のピン部１３Ｂは外駒側連結貫通穴４９Ａ内に位置する。
【００８０】
また、前記連結ピン５３−２を、外駒側連結貫通穴４８Ａから他方の中駒側径大連結貫通穴５１に挿入した場合においても、上記したように連結ピン５３−１の挿入と同様に突出部１９が中駒側径大連結貫通穴５１の径方向に変位して「カツン」という感触を指先に受け、連結ピン５３ー２の一方のピン部１３Ａは他方の中駒側径大連結貫通穴５１から外駒側連結貫通穴４８Ｂ内に至り、また、連結ピン５３ー２のピン部１３Ｂは外駒側連結貫通穴４８Ａ内に位置する。これにより、隣り合う長さ調整外駒４２が長さ調整中駒４３と連結ピン５３ー１、５３ー２により互いに連結される。
【００８１】
この場合、連結ピン５３−１、５３−２は、外駒側連結貫通穴４９Ａ、４９Ｂ、４８Ａ、４８Ｂ、中駒側径大連結貫通穴５０、５１内に自由な状態で組み込まれており（駒から圧迫を受けず）、圧接部分がない。このために、連結ピン５３−１、５３−２自体の材料特性（スプリング性等）が継続し、同じく連結ピン５３−１、５３−２を繰り返し使用しても安定した着脱作業を行うことができる。
【００８２】
このように構成されたバンドの長さ調節構造は、上記した実施例１の場合と同様な利点を有する。
【００８３】
【発明の効果】
以上説明したように、本発明に係わるバンドの長さ調節構造によれば、一端に形成した凹部を挟んだアーム部にバンド短手方向に沿う連結貫通穴を有する一方の長さ調整駒と、前記凹部に組み合わされる凸部を有し且つ前記凸部にバンド短手方向に沿う連結貫通穴を有する他方の長さ調整駒とを有し、前記一方及び他方の長さ調整駒の前記連結貫通穴に、半甲丸状の断面を有する金属線を二つ折りに折曲して、その一部に互いに背向して径方向に突出する突出部を形成した連結ピンを挿入することにより前記一方及び他方の長さ調整駒を着脱可能に連結してなるバンドの長さ調節構造において、
前記他方の長さ調整駒の前記凸部に設けられた前記連結貫通穴の一端に、前記一方の長さ調整駒の前記凹部の前記連結貫通穴より径大の段穴部を形成し、
前記連結ピンの突出部を、その金属線を二つ折りした折線部毎に、前記連結ピンの軸線方向に対して略垂直に立ち上がる片側突出部を互いに背向して矩形形状に形成すると共に、前記凹部の前記連結貫通穴より径大で且つ前記段穴部より径小に形成し、
前記連結ピンを前記凹部の前記連結貫通穴より挿入し、前記段穴部に前記突出部を落とし込み装着したとき、前記連結ピンの前記突出部を前記段穴部に圧接せずに配設するようにし、
前記段穴部に落とし込んだ前記連結ピンが、その矩形をなす前記突出部の４つの角部でバンド短手方向の移動を規制されるようにしたことにより、前記連結ピンの突出部は、その金属線を二つ折りした折線部毎に、前記連結ピンの軸線方向に対して略垂直に立ち上がる片側突出部を互いに背向して矩形形状に形成されており、また、前記凹部の前記連結貫通穴より径大で且つ前記段穴部より径小にしてあるために、突出部が段穴部に挿入された状態では、連結ピンは、前記凹部と前記凸部の前記連結貫通穴、段穴部内に自由な状態で組み込まれており、圧接部分がない。このために、連結ピン自体の材料特性（スプリング性等）が継続し、連結ピンの脱落が皆無になるし、また、連結ピンを繰り返し使用しても安定した着脱作業を行うことができる。
【００８４】
また、連結ピンを、凹部の連結貫通穴に、続けて凸部の連結貫通穴に挿入していくと、突出部が凹部の連結貫通穴により中心側に圧縮を受けて撓み、突出部が段穴部に挿入されると、突出部が段穴部の径方向に変位して「カツン」という感触を指先に受けるために、連結ピンの突出部が段穴部に完全に入ったことが解る。つまり、連結ピンの組み込みが確実に行われたことが感触として確認できるため、連結ピンの位置を微妙に調べながら押し込む必要がなく作業性が向上する。
【００８５】
また、前記連結ピンの突出部の角部が段穴部の端部に干渉して、この段穴部がストッパーの働きをするために、連結ピンの位置が安定し、腕時計の携帯にずれることがない。また、連結ピン自体の材料特性（スプリング性等）が継続するために、バンドの長さ調節構造としての信頼性が高く評価される。
【００８６】
しかも、長さ調整駒の連結部分を設計する上で段穴部の寸法を確保することは容易であり、バンドのデザインを特別に制約することがなく、新モデル企画に対してデザインテストの大幅な変更を要求しない。また、凹部の連結貫通穴は連結ピンの突出部の径より小さいために、凹部の連結貫通穴の外から見える端部は径小なものであり、外観上見栄えがよくなる。また、前記連結ピンを取り外す場合には、力のかけ方が一定で済むために、連結ピンの取り外す作業が安定する。
【００８７】
また、本発明に係わるバンドの長さ調節構造によれば、一端に形成した凹部を挟んだアーム部にバンド短手方向に沿う連結貫通穴を有する一方の長さ調整駒と、前記凹部に組み合わされる凸部を有し且つ前記凸部にバンド短手方向に沿う連結貫通穴を有する他方の長さ調整駒とを有し、前記一方及び他方の長さ調整駒の前記連結貫通穴に、半甲丸状の断面を有する金属線を二つ折りに折曲して、その一部に互いに背向して径方向に突出する突出部を形成した連結ピンを挿入することにより前記一方及び他方の長さ調整駒を着脱可能に連結してなるバンドの長さ調節構造において、
前記他方の長さ調整駒の前記凸部に設けられた前記連結貫通穴を、前記一方の長さ調整駒の前記凹部の前記連結貫通穴より径大の径大連結貫通穴で構成し、
前記連結ピンの突出部を、その金属線を二つ折りした折線部毎に、前記連結ピンの軸線方向に対して略垂直に立ち上がる片側突出部を互いに背向して矩形形状に形成すると共に、前記凹部の前記連結貫通穴より径大で且つ前記径大連結貫通穴より径小に形成し、
前記連結ピンを前記凹部の前記連結貫通穴より挿入し、前記径大連結貫通穴に前記突出部を落とし込み装着したとき、前記連結ピンの前記突出部を前記径大連結貫通穴に圧接せずに配設するようにし、
前記径大連結貫通穴に落とし込んだ前記連結ピンが、その矩形をなす前記突出部の４つの角部でバンド短手方向の移動を規制されるようにしたことにより、前記連結ピンの突出部は、その金属線を二つ折りした折線部毎に、前記連結ピンの軸線方向に対して略垂直に立ち上がる片側突出部を互いに背向して矩形形状に形成されており、また、前記凹部の前記連結貫通穴より径大で且つ前記径大連結貫通穴より径小にしてあるために、突出部が径大連結貫通穴に挿入された状態では、連結ピンは、凹部の連結貫通穴、径大連結貫通穴内に自由な状態で組み込まれており、圧接部分がない。このために、連結ピン自体の材料特性（スプリング性等）が継続し、連結ピンの脱落が皆無になるし、また、連結ピンを繰り返し使用しても安定した着脱作業を行うことができる。
【００８８】
また、連結ピンを、凹部の連結貫通穴に、続けて径大連結貫通穴に挿入していくと、突出部が凹部の連結貫通穴により中心側に圧縮を受けて撓み、突出部が径大連結貫通穴に挿入されると、突出部が径大連結貫通穴の径方向に変位して「カツン」という感触を指先に受けるために、連結ピンの突出部が径大連結貫通穴に完全に入ったことが解る。つまり、連結ピンの組み込みが確実に行われたことが感触として確認できるため、連結ピンの位置を微妙に調べながら押し込む必要がなく作業性が向上する。
【００８９】
また、前記連結ピンの突出部の角部が径大連結貫通穴の端部に干渉して、この径大連結貫通穴がストッパーの働きをするために、連結ピンの位置が安定し、腕時計の携帯にずれることがない。また、連結ピン自体の材料特性（スプリング性等）が継続するために、バンドの長さ調節構造としての信頼性が高く評価される。
【００９０】
しかも、長さ調整駒の連結部分を設計する上で径大連結貫通穴の寸法を確保することは容易であり、バンドのデザインを特別に制約することがなく、新モデル企画に対してデザインテストの大幅な変更を要求しない。また、凹部の連結貫通穴は連結ピンの突出部の径より小さいために、凹部の連結貫通穴の外から見える端部は径小なものであり、外観上見栄えがよくなる。また、前記連結ピンを取り外す場合には、力のかけ方が一定で済むために、連結ピンの取り外す作業が安定する。
【００９１】
また、本発明に係わるバンドの長さ調節構造によれば、一端に形成した凹部を挟んだアーム部にバンド短手方向に沿う連結貫通穴を有する一方及び他方の長さ調整外駒と、前記一方及び他方の長さ調整外駒の前記凹部が成す孔状部に挿入されてバンド短手方向に沿う連結貫通穴をバンド長手方向に一対設けた長さ調整中駒とを有し、
前記一方及び他方の長さ調整外駒の前記連結貫通穴と前記長さ調整中駒の前記連結貫通穴とに、半甲丸状の断面を有する金属線を二つ折りに折曲して、その一部に互いに背向して径方向に突出する突出部を形成した連結ピンを挿入することにより前記長さ調整中駒を介して前記一方及び他方の長さ調整外駒を着脱可能に連結してなるバンドの長さ調節構造において、
前記長さ調整中駒に設けられた前記連結貫通穴の一端に、前記長さ調整外駒の前記連結貫通穴より径大の段穴部を形成し、
前記連結ピンの突出部を、その金属線を二つ折りした折線部毎に、前記連結ピンの軸線方向に対して略垂直に立ち上がる片側突出部を互いに背向して矩形形状に形成すると共に、前記長さ調整外駒の前記連結貫通穴より径大で且つ前記段穴部より径小に形成し、
前記連結ピンを前記長さ調整外駒の前記連結貫通穴より挿入し、前記長さ調整中駒の前記段穴部に前記突出部を落とし込み装着したとき、前記連結ピンの前記突出部を前記段穴部に圧接せずに配設するようにし、
前記段穴部に落とし込んだ前記連結ピンが、その矩形をなす前記突出部の４つの角部でバンド短手方向の移動を規制されるようにしたことにより、前記連結ピンの突出部は、その金属線を二つ折りした折線部毎に、前記連結ピンの軸線方向に対して略垂直に立ち上がる片側突出部を互いに背向して矩形形状に形成されており、また、前記一方及び他方の長さ調整外駒の前記連結貫通穴より径大で且つ前記段穴部より径小にしてあるために、突出部が段穴部に挿入された状態では、連結ピンは、前記一方及び他方の長さ調整外駒の前記連結貫通穴と前記長さ調整中駒の前記連結貫通穴、段穴部内に自由な状態で組み込まれており、圧接部分がない。このために、連結ピン自体の材料特性（スプリング性等）が継続し、連結ピンの脱落が皆無になるし、また、連結ピンを繰り返し使用しても安定した着脱作業を行うことができる。
【００９２】
また、連結ピンを、長さ調整外駒の連結貫通穴に、続けて長さ調整中駒の前記連結貫通穴に挿入していくと、突出部が長さ調整外駒の連結貫通穴により中心側に圧縮を受けて撓み、突出部が段穴部に挿入されると、突出部が段穴部の径方向に変位して「カツン」という感触を指先に受けるために、連結ピンの突出部が段穴部に完全に入ったことが解る。つまり、連結ピンの組み込みが確実に行われたことが感触として確認できるため、連結ピンの位置を微妙に調べながら押し込む必要がなく作業性が向上する。
【００９３】
また、前記連結ピンの突出部の角部が段穴部の端部に干渉して、この段穴部がストッパーの働きをするために、連結ピンの位置が安定し、腕時計の携帯にずれることがない。また、連結ピン自体の材料特性（スプリング性等）が継続するために、バンドの長さ調節構造としての信頼性が高く評価される。
【００９４】
しかも、長さ調整駒の連結部分を設計する上で段穴部の寸法を確保することは容易であり、バンドのデザインを特別に制約することがなく、新モデル企画に対してデザインテストの大幅な変更を要求しない。また、長さ調整外駒の連結貫通穴は連結ピンの突出部の径より小さいために、長さ調整外駒の連結貫通穴の外から見える端部は径小なものであり、外観上見栄えがよくなる。また、前記連結ピンを取り外す場合には、力のかけ方が一定で済むために、連結ピンの取り外す作業が安定する。
【００９５】
また、本発明に係わるバンドの長さ調節構造によれば、一端に形成した凹部を挟んだアーム部にバンド短手方向に沿う連結貫通穴を有する一方及び他方の長さ調整外駒と、前記一方及び他方の長さ調整外駒の前記凹部が成す孔状部に挿入されてバンド短手方向に沿う連結貫通穴をバンド長手方向に一対設けた長さ調整中駒とを有し、
前記一方及び他方の長さ調整外駒の前記連結貫通穴と前記長さ調整中駒の前記連結貫通穴とに、半甲丸状の断面を有する金属線を二つ折りに折曲して、その一部に互いに背向して径方向に突出する突出部を形成した連結ピンを挿入することにより前記長さ調整中駒を介して前記一方及び他方の長さ調整外駒を着脱可能に連結してなるバンドの長さ調節構造において、
前記長さ調整中駒に設けられた前記連結貫通穴を、前記長さ調整外駒の前記連結貫通穴より径大の径大連結貫通穴で構成し、
前記連結ピンの突出部を、その金属線を二つ折りした折線部毎に、前記連結ピンの軸線方向に対して略垂直に立ち上がる片側突出部を互いに背向して矩形形状に形成すると共に、前記長さ調整外駒の前記連結貫通穴より径大で且つ前記径大連結貫通穴より径小に形成し、
前記連結ピンを前記長さ調整外駒の前記連結貫通穴より挿入し、前記長さ調整中駒の前記径大連結貫通穴に前記突出部を落とし込み装着したとき、前記連結ピンの突出部を前記径大連結貫通穴に圧接せずに配設するようにし、
前記径大連結貫通穴に落とし込んだ前記連結ピンが、その矩形をなす前記突出部の４つの角部でバンド短手方向の移動を規制されるようにしたことにより、前記連結ピンの突出部は、その金属線を二つ折りした折線部毎に、前記連結ピンの軸線方向に対して略垂直に立ち上がる片側突出部を互いに背向して矩形形状に形成されており、また、前記長さ調整外駒の前記連結貫通穴より径大で且つ前記径大連結貫通穴より径小にしてあるために、突出部が径大連結貫通穴に挿入された状態では、連結ピンは、連結貫通穴、径大連結貫通穴内に自由な状態で組み込まれており、圧接部分がない。このために、連結ピン自体の材料特性（スプリング性等）が継続し、連結ピンの脱落が皆無になるし、また、連結ピンを繰り返し使用しても安定した着脱作業を行うことができる。
【００９６】
また、連結ピンを、長さ調整外駒の連結貫通穴に、続けて径大連結貫通穴に挿入していくと、突出部が長さ調整外駒の連結貫通穴により中心側に圧縮を受けて撓み、突出部が径大連結貫通穴に挿入されると、突出部が径大連結貫通穴の径方向に変位して「カツン」という感触を指先に受けるために、連結ピンの突出部が径大連結貫通穴に完全に入ったことが解る。つまり、連結ピンの組み込みが確実に行われたことが感触として確認できるため、連結ピンの位置を微妙に調べながら押し込む必要がなく作業性が向上する。
【００９７】
また、前記連結ピンの突出部の角部が径大連結貫通穴の端部に干渉して、この径大連結貫通穴がストッパーの働きをするために、連結ピンの位置が安定し、腕時計の携帯にずれることがない。また、連結ピン自体の材料特性（スプリング性等）が継続するために、バンドの長さ調節構造としての信頼性が高く評価される。
【００９８】
しかも、長さ調整駒の連結部分を設計する上で径大連結貫通穴の寸法を確保することは容易であり、バンドのデザインを特別に制約することがなく、新モデル企画に対してデザインテストの大幅な変更を要求しない。また、長さ調整外駒の連結貫通穴は連結ピンの突出部の径より小さいために、長さ調整外駒の連結貫通穴の外から見える端部は径小なものであり、外観上見栄えがよくなる。また、前記連結ピンを取り外す場合には、力のかけ方が一定で済むために、連結ピンの取り外す作業が安定する。
【００９９】
また、本発明に係わるバンドの長さ調節構造によれば、上述のバンドの長さ調節構造において、前記段穴部または前記径大連結貫通穴に落とし込んだ前記連結ピンが、その矩形をなす前記突出部の４つの角部でバンド短手方向の移動を規制されていることにより、上記した請求項１の発明の効果と同様な効果を奏し得るばかりか、前記連結ピンの突出部の角部が前記段穴部または径大連結貫通穴の端部に干渉して、前記段穴部または径大連結貫通穴がストッパーの働きをするために、連結ピンの位置が安定し、腕時計の携帯にずれることがない。また、連結ピン自体の材料特性（スプリング性等）が継続するために、バンドの長さ調節構造としての信頼性が高く評価される。
【０１００】
また、本発明に係わるバンドの長さ調節構造によれば、上述のバンドの長さ調節構造において、前記連結ピンが駒から圧迫を受けず、自由状態で組み込まれていることにより、上記した請求項１の発明の効果と同様な効果を奏し得るばかりか、圧接部分がまったくないために、連結ピン自体の材料特性（スプリング性等）が継続し、連結ピンの脱落が皆無になるし、また、同じく連結ピンを繰り返し使用しても安定した作業を行うことができる。
【０１０１】
また、本発明に係わるバンドの長さ調節構造によれば、上述の長さ調節構造において、前記長さ調整駒の前記凹部の前記連結貫通穴の外端又は前記長さ調整外駒の前記連結貫通穴の外端から前記段穴部の底までの長さＳと、前記連結ピンの二つ折りに折曲した端面から前記突出部の一端までの長さＬとの関係が、
Ｓ＜Ｌ
であることにより、上記した請求項１の発明の効果と同様な効果を奏し得るばかりか、連結ピンの先端部が案内の役目をして円滑に突出部を段穴部に装着することができる。
【０１０２】
また、本発明に係わるバンドの長さ調節構造は、上述のバンドの長さ調節構造において、前記バンドは、時計バンド、衣料用バンド、ブレスレット、ネックレスの中の一つであることにより、上記した請求項１の発明の効果と同様な効果を奏し得るばかりか、前記バンドを、時計バンド、衣料用バンド、ブレスレット、ネックレスに使用することができる。
【図面の簡単な説明】
【図１】本発明に係わるバンドの長さ調節構造（実施例１）の分解状態の斜視図である。
【図２】図１のＡ−Ａ線に沿う断面図である。
【図３】（１）は図２のＢ−Ｂ線に沿う断面図である。
（２）は図２のＣ−Ｃ線に沿う断面図である。
（３）は図２のＤ−Ｄ線に沿う断面図である。
【図４】図２のＥ部の拡大図である。
【図５】本発明に係わるバンドの長さ調節構造（実施例１）の一部断面した平面図である。
【図６】（１）は同バンドの長さ調節構造（実施例１）における連結ピンの側面図である。
（２）は同連結ピンの片側突出部の拡大図である。
（３）は図６の（１）のＦ−Ｆ線に沿う断面図である。
（４）は図６の（１）のＧ−Ｇ線に沿う断面図である。
（５）は図６の（１）のＨ−Ｈ線に沿う断面図である。
【図７】本発明に係わるバンドの長さ調節構造（実施例２）分解状態の斜視図である。
【図８】図７のＩ−Ｉ線に沿う断面図である。
【図９】本発明に係わるバンドの長さ調節構造（実施例３）の分解状態の斜視図である。
【図１０】図９のＪ−Ｊ線に沿う断面図である。
【図１１】本発明に係わるバンドの長さ調節構造（実施例４）の分解状態の斜視図である。
【図１２】図１１のＫ−Ｋ線に沿う断面図である。
【図１３】従来のバンドの長さ調節構造の分解状態の斜視図である。
【図１４】図１３のＮ−Ｎ線に沿う断面図である。
【図１５】従来の他のバンドの長さ調節構造における断面図である。
【図１６】従来の他のバンドの長さ調節構造における、連結ピンを除いた状態の断面図である。
【符号の説明】
２  長さ調整駒
２Ａ  駒本体
３  連結ピン（ヘアーピン）
４Ａ  凹部
５  凸部
６Ａ、６Ｂ  凹部側連結貫通穴（凹部の連結貫通穴）
７  凸部側連結貫通穴（凸部の連結貫通穴）
７Ａ  段穴部
８  金属線
８Ａ  折線部
９  突出部
９Ａ  片側突出部
１２  長さ調整駒
１２Ａ  駒本体
１３  凹部
１５  凸部
１６Ａ、１６Ｂ  凹部側連結貫通穴（凹部の連結貫通穴）
１７  凸部側径大連結貫通穴（径大連結貫通穴）
１８  突出部
２２  長さ調整外駒
２３  長さ調整中駒
２４、２６  凹部
２８Ａ、２８Ｂ  外駒側連結貫通穴（長さ調整外駒の連結貫通穴）
２９Ａ、２９Ｂ  外駒側連結貫通穴（長さ調整外駒の連結貫通穴）
３０、３１  中駒側連結貫通穴（長さ調整中駒の連結貫通穴）
３２、３３  段穴部
４２  長さ調整外駒
４３  長さ調整中駒
４４、４６  凹部
４８Ａ、４８Ｂ  外駒側連結貫通穴（長さ調整外駒の連結貫通穴）
４９Ａ、４９Ｂ  外駒側連結貫通穴（長さ調整外駒の連結貫通穴）
５０、５１  中駒側径大連結貫通穴（径大連結貫通穴）
【図１】
0003909101.tif 000002
【図２】
0003909101.tif 000003
【図３】
0003909101.tif 000004
【図４】
0003909101.tif 000005
【図５】
0003909101.tif 000006
【図６】
0003909101.tif 000007
【図７】
0003909101.tif 000008
【図８】
0003909101.tif 000009
【図９】
0003909101.tif 000010
【図１０】
0003909101.tif 000011
【図１１】
0003909101.tif 000012
【図１２】
0003909101.tif 000013
【図１３】
0003909101.tif 000014
【図１４】
0003909101.tif 000015
【図１５】
0003909101.tif 000016
【図１６】
0003909101.tif 000017